(57)【要約】【課題】コネクタとプリント基板とが組立容易であり、より強固に結合されるコネクタを提供する。【解決手段】コネクタ１０はハウジング１の側面１１から対向して延出される２組の複数のリード部３１・４１を備える。プリント基板２０はハウジング１の側面１１〜１３に当接するスロット２１を有し、側面１１に当接する縁部両面にエッジコネクタ２２Ａ・２２Ｂを形成する。リード部３１・４１間にエッジコネクタ２２Ａ・２２Ｂが挿入され、リード部３１・４１とエッジコネクタ２２Ａ・２２Ｂがはんだ接合される。一対の第１突起１４Ａ・１５Ｂは、プリント基板２０を把持する溝１４０が形成され、溝１４０はリード部３１・４１における対向間隙と同列に配置される。第２突起１５Ａ・１５Ｂはプリント基板２０の一方の面が当接される支持面を有し、対向する側面１２・１３に突出する。【選択図】        図１
2005166376.tif 000002
【特許請求の範囲】
【請求項１】
コネクタは、薄直方体形状の絶縁性のハウジングと、当該ハウジングにおける一の側面から対向するように延出してはんだ接合される２組の複数のリード部と、を備えており、
プリント基板は、前記ハウジングにおける一の側面と当該一の側面に隣接して対向する一対の側面とに当接する矩形のスロットを有しており、前記一の側面に当接する前記矩形のスロットの縁部両面にエッジコネクタが形成されており、
対向配置されている前記リード部間に両面形成されている前記エッジコネクタが挿入されて当該リード部と当該エッジコネクタがはんだ接合されるコネクタであって、
前記プリント基板の両面を把持する溝が形成されており、当該溝が前記２組の複数のリード部における対向間隙と同列となるように前記リード部の両翼に配置されていて前記一の側面から突出している一対の第１突起と、
前記プリント基板におけるいずれか一方の面が当接される支持面を有しており、前記一の側面に隣接して対向する一対の側面から相反するように突出している複数の第２突起と、を備えることを特徴とするコネクタ。
【請求項２】
前記一対の第１突起は、第１延出部と第２延出部が対向配置されて前記プリント基板の両面を把持する溝が形成されており、前記複数の第２突起側の面と同じ面側に配置される前記第１延出部は前記第２延出部より長く突出していることを特徴とする請求項１記載のコネクタ。
【請求項３】
前記一対の第１突起における第２延出部は前記リード部より長く延出していることを特徴とする請求項２記載のコネクタ。
【請求項４】
前記ハウジングにおける一の側面に隣接して対向する一対の側面に相反するように延出している複数の接合タブを備えており、当該複数の接合タブの底面は前記複数の第２突起における支持面と面一となるように配置されており、当該複数の接合タブの底面が前記プリント基板にはんだ接合されることを特徴とする請求項１から３のいずれかに記載のコネクタ。
【請求項５】
第１のメモリカードにおける第１の面上接続端子と接続する複数の第１のカンチレバーコンタクトと、
第２のメモリカードにおける第２の面上接続端子と接続する複数の第２のカンチレバーコンタクトと、を備えており、
前記第１と第２のカンチレバーコンタクトにおけるそれぞれの固定端部を前記ハウジングにおける一の側面から対向するように延出してはんだ接合される２組の複数のリード部とすることを特徴とする請求項１から４のいずれかに記載のコネクタ。
【請求項６】
前記第１のメモリカードは、ＳＤカードを含むことを特徴とする請求項５記載のコネクタ。
【請求項７】
前記第２のメモリカードはメモリースティックカードを含むことを特徴とする請求項５記載のコネクタ。
【発明の詳細な説明】
【技術分野】
【０００１】
本発明は、電気的に接続されるコネクタに関する。特に、コネクタ後部に延出するコンタクトのリード部がプリント基板を挟み込み、前記リード部がプリント基板にはんだ接合されることによって電気的に接続されるストラドルマウント型（ｓｔｒａｄｄｌｅ  ｍｏｕｎｔ  ｔｙｐｅ）のコネクタに関する。このストラドルマウント型コネクタは表面実装型コネクタの一種である。
【背景技術】
【０００２】
表面実装技術（Ｓｕｒｆａｃｅ  Ｍｏｕｎｔ  Ｔｅｃｈｎｏｌｏｇｙ：略、ＳＭＴ）の進展に伴い、プリント基板用コネクタは実装高さを低くするいわゆる低背が可能とされ、狭ピッチのコンタクトを有するプリント基板用コネクタも実現されてきている。
【０００３】
ＳＭＴは、スルーホール実装に代えて、プリント基板に形成されたコンタクトパッド（又はランド）にリード部を重ね、例えば、熱風循環リフローはんだ付け装置ではんだ接合する技術である。ＳＭＴによるストラドルマウント型コネクタは、コンタクトパッドとなるエッジコネクタにコンタクトのリード部がはんだ接合される。
【０００４】
ストラドルマウント型コネクタは、エッジコネクタに軟弱なリード部がはんだ接合されただけでは機械的結合が不足するので、例えば、ねじ等の締結具でコネクタハウジングをプリント基板に固定している。
【０００５】
一方、ねじ等の締結具でコネクタハウジングをプリント基板にしっかり固定してしまうと、コネクタとプリント基板との電気的又は機械的接続関係に支障が生じる場合や、コネクタとプリント基板の組立製造工程を困難としてしまう場合がある。
【０００６】
このようなことに対策を施したストラドルマウント型コネクタとして、コネクタハウジングに沿って間隔をおいて設置されている複数のグリッパ・アーム・アッセンブリを使用して、プリント基板にコネクタを機械的にしっかりと固定する片面ストラドル装着型のプリント基板用コネクタが発明されている（例えば、特許文献１参照）。
【０００７】
前述のストラドルマウント型コネクタは、その片面上にハンダ付用のパッドをもつプリント基板の縁部に装着するためのコネクタであって、頂壁部と対向底壁部とその間に間隔を持つ端壁部とをもつ細長い絶縁ハウジングと、ハウジングの延長に沿ってハウジングより支持されている少なくとも一列の複数のコンタクトであって、プリント基板縁部上のエッジコネクタと電気的に係合するためにハウジングから延びるハンダ終端部をもつ複数のコンタクトと、を備えている。
【０００８】
前述のストラドルマウント型コネクタは、一組のグリッパ・アームと、中間突起と、を更に備えている。一組のグリッパ・アームはハウジングと共に形成され、複数のコンタクトにおける前記列の各端部に隣接して、ハウジングから延びている。又、一組のグリッパ・アームは、コンタクトのハンダ終端部と共に、プリント基板収容空間を形成している。中間突起は、ハウジングと一体に形成されており、一組のグリッパ・アームの中間位置においてハウジングから延びている。
【０００９】
特許文献１によるストラドルマウント型コネクタは、ねじ等の締結具を使用しなくても、コネクタにプリント基板をしっかりと機械的にロックでき、コネクタが傾斜するという欠点を克服し、コネクタおよびプリント基板を組み立てる際の製造プロセスが容易に又簡単になるとしている。
【特許文献１】特開平１１−６７３８６号公報
【発明の開示】
【発明が解決しようとする課題】
【００１０】
しかしながら、特許文献１によるストラドルマウント型コネクタは、上部グリッパ・アームと下部グリッパ・アームとで形成される収容空間に向けて、コンタクトと衝突しないために狙い狙いすましたようにプリント基板を挿入する必要がある。
【００１１】
２種類のメモリカードが共用されるメモリカード用コネクタにあっては、当該ハウジングにおける一の側面から対向するように２組の複数のコンタクトリード部が延出して、プリント基板にはんだ接合される。
【００１２】
このようなストラドルマウント型のメモリカード用コネクタにあっては、上部グリッパ・アームと下部グリッパ・アームとで形成される収容空間を有するグリッパ・アーム・アッセンブリが、メモリカード用コネクタにおける前記一の側面に設けられたとしても、対向するコンタクトリード部と衝突しないようにプリント基板を挿入して組み立てることはかなり困難である。
【００１３】
ストラドルマウント型コネクタにおいて、従来のグリッパ・アーム・アッセンブリの長所を損ねることなく、コネクタとプリント基板とが組立容易であり、コネクタとプリント基板がより強固に結合される新たな保持構造が求められている。
【００１４】
本発明は、上述した課題を解決すべく、ストラドルマウント型コネクタにおいて、コネクタとプリント基板とが組立容易であり、コネクタとプリント基板がより強固に結合される保持構造を有するコネクタを提供することを目的とする。
【課題を解決するための手段】
【００１５】
発明者は、上記目的を満たすため、以下のような新たなストラドルマウント型のコネクを発明した。
【００１６】
（１）  コネクタは、薄直方体形状の絶縁性のハウジングと、当該ハウジングにおける一の側面から対向するように延出してはんだ接合される２組の複数のリード部と、を備えており、プリント基板は、前記ハウジングにおける一の側面と当該一の側面に隣接して対向する一対の側面とに当接する矩形のスロットを有しており、前記一の側面に当接する前記矩形のスロットの縁部両面にエッジコネクタが形成されており、対向配置されている前記リード部間に両面形成されている前記エッジコネクタが挿入されて当該リード部と当該エッジコネクタがはんだ接合されるコネクタであって、前記プリント基板の両面を把持する溝が形成されており、当該溝が前記２組の複数のリード部における対向間隙と同列となるように前記リード部の両翼に配置されていて前記一の側面から突出している一対の第１突起と、前記プリント基板におけるいずれか一方の面が当接される支持面を有しており、前記一の側面に隣接して対向する一対の側面から相反するように突出している複数の第２突起と、を備えることを特徴とするコネクタ。
【００１７】
（２）  前記一対の第１突起は、第１延出部と第２延出部が対向配置されて前記プリント基板の両面を把持する溝が形成されており、前記複数の第２突起側の面と同じ面側に配置される前記第１延出部は前記第２延出部より長く突出していることを特徴とする（１）記載のコネクタ。
【００１８】
（３）  前記一対の第１突起における第２延出部は前記リード部より長く延出していることを特徴とする（２）記載のコネクタ。
【００１９】
（４）  前記ハウジングにおける一の側面に隣接して対向する一対の側面に相反するように延出している複数の接合タブを備えており、当該複数の接合タブの底面は前記複数の第２突起における支持面と面一となるように配置されており、当該複数の接合タブの底面が前記プリント基板にはんだ接合されることを特徴とする（１）から（３）のいずれかに記載のコネクタ。
【００２０】
（５）  第１のメモリカードにおける第１の面上接続端子と接続する複数の第１のカンチレバーコンタクトと、第２のメモリカードにおける第２の面上接続端子と接続する複数の第２のカンチレバーコンタクトと、を備えており、前記第１と第２のカンチレバーコンタクトにおけるそれぞれの固定端部を前記ハウジングにおける一の側面から対向するように延出してはんだ接合される２組の複数のリード部とすることを特徴とする（１）から（４）のいずれかに記載のコネクタ。
【００２１】
（６）  前記第１のメモリカードは、ＳＤカードを含むことを特徴とする（５）記載のコネクタ。
【００２２】
（７）  前記第２のメモリカードはメモリースティックカードを含むことを特徴とする（５）記載のコネクタ。
【００２３】
（１）記載の発明によれば、「コネクタは、薄直方体形状の絶縁性のハウジングと、当該ハウジングにおける一の側面から対向するように延出してはんだ接合される２組の複数のリード部と、を備えており、プリント基板は、前記ハウジングにおける一の側面と当該一の側面に隣接して対向する一対の側面とに当接する矩形のスロットを有しており、前記一の側面に当接する前記矩形のスロットの縁部両面にエッジコネクタが形成されており、対向配置されている前記リード部間に両面形成されている前記エッジコネクタが挿入されて当該リード部と当該エッジコネクタがはんだ接合されるコネクタであって、前記プリント基板の両面を把持する溝が形成されており、当該溝が前記２組の複数のリード部における対向間隙と同列となるように前記リード部の両翼に配置されていて前記一の側面から突出している一対の第１突起と、前記プリント基板におけるいずれか一方の面が当接される支持面を有しており、前記一の側面に隣接して対向する一対の側面から相反するように突出している複数の第２突起と、を備える」ことを特徴としてよい。
【００２４】
ハウジングは絶縁性の合成樹脂材で薄直方体形状に成形されてよい。このハウジングにおける一の側面から２組の複数のリード部が対向するように延出している。当該対向するリード部は、はんだ接合されるプリント基板を挿入させやすいようリード部端部が折り曲げられていてもよい。
【００２５】
ハウジングにおける一の側面と当該一の側面に隣接して対向する一対の側面とに当接する「矩形のスロット」とは、ハウジングの外形より僅かに大きい「矩形の切り欠き溝」のことであってよく、プリント基板はリード部の延出方向と平行にハウジングに挿入されてもよく、プリント基板はリード部の延出方向と直交する方向からハウジングに挿入されてもよい。
【００２６】
第１の突起は好適には四角柱状の突起であるが、円柱状の突起にプリント基板の両面を把持する矩形の溝が形成されてもよい。第２の突起も好適には四角柱状の突起であるが、支持面を平面とする半月状突起でもよく、支持面を平面とする三角柱状突起であってもよい。
【００２７】
リード部の両翼に配置されている一対の第１突起に形成されている溝は、矩形溝であってよく、この矩形溝にプリント基板が板厚方向から比較的弱い力で挿入されて、プリント基板の両面を把持するものであってよい。溝を形成する第１延出部と第２延出部とが弾性力をもって、プリント基板を挟持するとしてもよい。
【００２８】
このように、本発明によるコネクタはプリント基板の端部が一対の第１突起で把持され、更に、矩形のスロットの両翼が複数の第２突起で支持されることにより、コネクタとプリント基板をより強固に機械的に結合できる。このようなコネクタ付きプリント基板はコネクタの平面に加わる外力に対して強固なものとしている。
【００２９】
（２）記載の発明によれば、「前記一対の第１突起は、第１延出部と第２延出部が対向配置されて前記プリント基板の両面を把持する溝が形成されており、前記複数の第２突起側の面と同じ面側に配置される前記第１延出部は前記第２延出部より長く突出している」ことを特徴としてよい。
【００３０】
このコネクタにプリント基板が取り付けられるに当たり、プリント基板はリード部の延出方向と直交する方向からコネクタに近づいていく。そして、プリント基板における矩形のスロット周囲が、複数の第２突起における支持面と、第１延出部における溝形成面とに当接した後に、前記支持面と前記溝形成面と摺動しながら、プリント基板はリード部の延出方向と平行にハウジングに挿入されて組み立てられる。
【００３１】
つまり、第１延出部と第２延出部は段差となっており、この段差面に倣ってプリント基板を平行に移動することにより、従来のように狙いしましたようにプリント基板を挿入することなく、容易に組み立てることができる。
【００３２】
（３）記載の発明によれば、「前記第１突起における第２延出部は前記リード部より長く延出している」ことを特徴としてよい。
【００３３】
第２延出部はリード部より長く延出しているということは、すなわち、第１延出部はリード部より長く延出しているということである。つまり、プリント基板がリード部の延出方向と直交する方向からハウジングに近づいていく過程において、リード部の両翼に配置されているこの一対の第１突起は、プリント基板がリード部に衝突しないように保護している。
【００３４】
（４）記載の発明によれば、「前記ハウジングにおける一の側面に隣接して対向する一対の側面に相反するように延出している複数の接合タブを備えており、当該複数の接合タブの底面は前記複数の第２突起における支持面と面一となるように配置されており、当該複数の接合タブの底面が前記プリント基板にはんだ接合される」ことを特徴としてよい。
【００３５】
この接合タブは補強タブであってよく、ハウジングに圧入されている接合タブが、プリント基板に形成されているパッドにはんだ接続されることにより、コネクタとプリント基板をより強固に機械的に結合できる。
【００３６】
好適な実施態様によるコネクタは、「第１のメモリカードにおける第１の面上接続端子と接続する複数の第１のカンチレバーコンタクトと、第２のメモリカードにおける第２の面上接続端子と接続する複数の第２のカンチレバーコンタクトと、を備えており、前記第１と第２にカンチレバーコンタクトにおけるそれぞれの固定端部を前記ハウジングにおける一の側面から対向するように延出してはんだ接合される２組の複数のリード部とする」ことを特徴としてよい。
【００３７】
カンチレバーコンタクトは、板ばね接触子であって、板ばねの働きが片持梁のコンタクトである。この複数のカンチレバーコンタクトはメモリカードの挿入方向と直交する方向に整列して配置されている。
【００３８】
複数のカンチレバーコンタクトは、カード保持部においてカード挿入口から対向する位置に配置されている。つまり、複数のカンチレバーコンタクトは、メモリカードに配列されている面上接続端子側の終縁部が近接する停止壁側に配置されている。
【００３９】
そして、カンチレバーコンタクトの弾性部はカード挿入口に対向しており、カンチレバーコンタクトにおける固定部の端部は停止壁の後方に延出してはんだ接合されるリード部を形成している。
【００４０】
好適な実施態様による第１のメモリカードは、ＳＤ（Ｓｅｃｕｒｅ  Ｄｉｇｉｔａｌ）カードを含むことを特徴としてよく、第２のメモリカードはメモリースティックカードを含むことを特徴としてよい。
【発明の効果】
【００４１】
本発明は、ストラドルマウント型コネクタにおいて、プリント基板の端部が一対の第１突起で把持され、更に、矩形のスロットの両翼が複数の第２突起で支持されることにより、コネクタとプリント基板をより強固に機械的に結合できる。
【００４２】
更に、本発明は、一対の第１突起における第１延出部と第２延出部は段差となっており、この段差面に倣ってプリント基板を平行に移動することにより、従来のように狙いすましたようにプリント基板を挿入することなく、容易に組み立てることができる。
【発明を実施するための最良の形態】
【００４３】
以下、図面を参照して本発明を実施するための最良の形態を説明する。
【００４４】
図１は、本発明によるストラドルマウント型のメモリカード用コネクタ（以下、コネクタと言う）の一実施例を示す斜視外観図である。図１のコネクタ１０において、符号１はハウジング、符号２はカバー、符号２０はコネクタ１０に取り付けられるプリント基板である。
【００４５】
図１の実施形態において、ハウジング１は絶縁性の合成樹脂材で矩形状に成形されている。カバー２は金属板で形成され、両翼がＬ字状に折り曲げられている。そして、ハウジング１にカバー２が覆うように取り付けられている。
【００４６】
ハウジング１にカバー２が取り付けられることにより、コネクタ１０は、図示しないＳＤカードとメモリースティックカードが挿入されるカード挿入口１Ａを形成し、薄直方体形状のカード保持部１Ｂを形成する。
【００４７】
ＳＤカードにおける面上接続端子（図示せず）と接触する後述する複数のカンチレバーコンタクト３は、カード挿入口１Ａに対向してハウジング１内に配列されている。複数のカンチレバーコンタクト３は、カード挿入口１Ａに対向する側面１１から延出して、プリント基板２０にはんだ接合されるリード部３１を備えている。
【００４８】
同様に、メモリースティックカードにおける面上接続端子（図示せず）と接触する後述する複数のカンチレバーコンタクト４は、カード挿入口１Ａに対向してハウジング１内に配列されている。複数のカンチレバーコンタクト４は、カード挿入口１Ａに対向する側面１１から延出して、プリント基板２０にはんだ接合されるリード部４１を備えている。
【００４９】
図１の実施形態において、これら複数のリード部３１と複数のリード部４１は、それぞれの先端部がプリント基板２０に挿入され易いように折り曲げられて屈曲している。そして、それぞれの屈曲部はプリント基板２０の両面に接触するように一定の間隙を空けて対向配置されている。
【００５０】
ハウジング１は側面１１に隣接して対向する一対の側面１２及び１３を形成している。なお、図１の実施形態において、側面１２及び１３はカバー２が覆われているが、本明細書ではハウジング１の側面１２及び１３と見なしている。
【００５１】
一方、プリント基板２０は、矩形のスロット２１が形成されている。スロット２１は、側面１１と側面１２及び１３に当接するように形成されている。又、側面１１に当接する矩形のスロット２１の縁部両面にはエッジコネクタ２２Ａ及び２２Ｂが形成されている。図１においては、エッジコネクタ２２Ｂは、エッジコネクタ２２Ａに遮られて明確には図示されていない。
【００５２】
図１の実施形態において、対向配置されているリード部３１及び４１間に、プリント基板２０に両面形成されているエッジコネクタ２２Ａ及び２２Ｂが挿入される。そして、上側のリード部４１はオモテ面のエッジコネクタ２２Ａにはんだ接合され、下側のリード部３１はウラ面のエッジコネクタ２２Ｂにはんだ接合される。
【００５３】
図２は、本発明によるコネクタ１０の実施形態を示す斜視外観図である。図２では、コネクタ１０のみが示されている。図１を援用しつつ、図２によりコネクタ１０の構成を更に説明する。
【００５４】
図２の実施形態において、一対の第１突起１４Ａ及び１４Ｂは側面１１から突出している。一対の第１突起１４Ａ及び１４Ｂは、図１に示されたプリント基板２０の両面を把持する溝１４０がそれぞれ形成されている。２組の複数のリード部３１及び４１における対向間隙と同列となるように、溝１４０は複数のリード部３１及び４１の両翼に配置されている。
【００５５】
更に、図２に示されるように、複数の第２突起１５Ａ及び１５Ｂは、側面１２及び１３から相反するように突出している。そして、複数の第２突起１５Ａ及び１５Ｂは、図１に示されたプリント基板２０におけるオモテ面が当接される支持面１５０を有している。
【００５６】
引き続き、図３によりコネクタ１０の構成を説明する。図３（ａ）はコネクタ１０の平面図、図３（ｂ）はコネクタ１０の正面図である。又、図３（ｃ）は図３（ａ）の背面図、図３（ｄ）は図３（ａ）の右側面図、図３（ｅ）は図３（ａ）の左側面図である。
【００５７】
図３（ｄ）と図３（ｅ）に最もよく示されているように、一対の第１突起１４Ａ及び１４Ｂは、第１延出部１４１と第２延出部１４２が対向配置されている。そして、第１延出部１４１と第２延出部１４２により、図１に示されたプリント基板２０の両面を把持する溝１４０が形成されている。
【００５８】
図３の実施形態に示されているように、複数の第２突起１５Ａ及び１５Ｂ側の面と同じ面側に配置される第１延出部１４１は、第２延出部１４２より長く突出している。又、一対の第１突起１４Ａ及び１４Ｂにおける第２延出部１４２は、リード部３１及び４１より長く延出している。
【００５９】
更に、図３の実施形態において、複数の接合タブ１６Ａ及び１６Ｂは、ハウジング１に形成される一対の側面１２及び１３に相反するように延出している。複数の接合タブ１６Ａ及び１６Ｂの底面は、複数の第２突起１５Ａ及び１５Ｂ側における支持面１５０と面一となるように配置されている。複数の接合タブ１６Ａ及び１６Ｂの底面は、図１に示されたプリント基板２０に形成されたパッド２３Ａ及び２３Ｂにはんだ接合される。
【００６０】
図４は、図２に示されたカバー２を外した状態におけるコネクタ１０の斜視外観図である。図４の実施形態に示されるように、薄直方体形状のカード保持部１Ｂには、ＳＤカードの横幅より僅かに広い間隔を有する相対向する案内溝１７Ａ及び１７Ｂが形成されている。この案内溝１７Ａ及び１７ＢにＳＤカードの横幅が規制されて、ＳＤカードの面上接続端子（図示せず）と複数のカンチレバーコンタクト３の位置合わせが可能となる。
【００６１】
図４に示されるように、カンチレバーコンタクト３は、板ばね接触子であって、板ばねの働きが片持梁のコンタクトである。この複数のカンチレバーコンタクト３はＳＤカードの挿入方向と直交する方向に整列して配置されている。
【００６２】
又、カード保持部１Ｂは、メモリースティックカードの横幅より僅かに広い間隔を有する相対向する案内壁１８Ａ及び１８Ｂが形成されている。この案内壁１８Ａ及び１８Ｂにメモリースティックカードの横幅が規制されて、メモリースティックカードの面上接続端子（図示せず）と複数のカンチレバーコンタクト４の位置合わせが可能となる。
【００６３】
図４に示されるように、カンチレバーコンタクト４は、板ばね接触子であって、板ばねの働きが片持梁のコンタクトである。この複数のカンチレバーコンタクト４はメモリースティックカードの挿入方向と直交する方向に整列して配置されている。
【００６４】
図４の実施形態においては、カンチレバーコンタクト３及び４におけるそれぞれの固定端部をハウジング１における側面１１から対向するように延出している。そして、カンチレバーコンタクト３及び４のそれぞれの延出端部を、プリント基板２０（図１参照）にはんだ接合されるリード部３１及び４１としている。
【００６５】
次に、本発明の作用を説明する。図５はコネクタ１０とプリント基板２０との組立手順を示す状態変化図であり、コネクタ１０とプリント基板２０とをそれぞれ、斜視図で示している。
【００６６】
図５（ａ）は、コネクタ１０とプリント基板２０とが離間した状態図であり、このコネクタ１０にプリント基板２０が取り付けられるに当たり、プリント基板２０はリード部３１及び４１（図１参照）の延出方向と直交する方向からコネクタ１０に近づいていく。
【００６７】
なお、コネクタ１０とプリント基板２０とは相対的に近づくのであって、プリント基板２０を固定し、コネクタ１０をプリント基板２０に近づけてもよい。
【００６８】
そして、図５（ｂ）では、プリント基板２０における矩形のスロット２１周囲が、図２に示された複数の第２突起１５Ａ及び１５Ｂにおける支持面１５０に当接している。図５（ｂ）に示された状態から、支持面１５０にプリント基板２０を摺動するようにして、プリント基板２０を図２に示された溝１４０に挿入すると、図５（ｃ）に示された状態になる。
【００６９】
図５（ｃ）では、コネクタ１０は、プリント基板２０の端部が一対の第１突起１４Ａ及び１４Ｂ（図１参照）で把持されている。更に、コネクタ１０は、矩形のスロット２１（図１参照）の両翼が複数の第２突起１５Ａ及び１５Ｂ（図１参照）で支持されている。
【００７０】
このように、この発明は、プリント基板を把持する溝を有する第１突起と、プリント基板を支持する第２突起を備えており、コネクタとプリント基板をより強固に機械的に結合できる。更に、このようなコネクタ付きプリント基板はコネクタの平面に加わる外力に対して強固なものとしている。
【００７１】
図６は図３の部分縦断面図である。図６（ａ）〜図６（ｃ）に示されるように、側面１１から突出しているリード部３１及び４１はその突出長さを異ならせている。なお、図６（ａ）に示されたリード部５１は、カード検出用スイッチの板ばねが延出しているものである。
【００７２】
そして、図６（ａ）〜図６（ｃ）に示されるように、いずれのリード部３１及び４１及び５１も第１延出部１４１又は第２延出部１４２から突出していない。したがって、図５（ａ）から図５（ｂ）に変化する組立工程において、第１延出部１４１又は第２延出部１４２に防護されて、いずれのリード部３１及び４１及び５１も損傷することは無い。
【００７３】
更に、図６の実施形態に示されるように、第１延出部１４１と第２延出部１４２とは、その突出長さを異ならせて段差が設けられている。すなわち、図５（ｂ）から図５（ｃ）に変化する組立工程において、この段差面に倣ってプリント基板２０を平行に移動することにより、従来のように狙いすましたようにプリント基板２０を挿入することなく、容易に組み立てることができる。
【産業上の利用可能性】
【００７４】
本発明によるコネクタは、ＳＤカードとメモリースティックカードが共用される低背型のメモリカード用コネクタをストラドルマウント型のとしてきたが、他のメモリカードが共用されるメモリカード用コネクタであってもよい。
【００７５】
又、本発明によるコネクタは、２組のカンチレバーコンタクトのリード部がプリント基板にはんだ接続されるストラドルマウント型のコネクタとして、実施形態を説明してきたが、プリント基板が挿抜されるデュアルインライン型コネクタを本発明に適用できるストラドルマウント型のコネクタとしてもよい。
【図面の簡単な説明】
【００７６】
【図１】本発明によるコネクタの一実施例を示す斜視外観図である。
【図２】本発明によるコネクタの斜視外観図である。
【図３】本発明によるコネクタの構成図である。
【図４】本発明によるカバーを外した状態におけるコネクタの斜視外観図である。
【図５】本発明によるコネクタとプリント基板とをそれぞれ斜視図で示している状態変化図である。
【図６】本発明によるコネクタの部分縦断面図である。
【符号の説明】
【００７７】
１    ハウジング
１Ａ    カード挿入口
１Ｂ    カード保持部
２    カバー
３・４    カンチレバーコンタクト
１０    コネクタ
１１・１２・１３    側面
１４Ａ・１４Ｂ    第１突起
１５Ａ・１５Ｂ    第２突起
１６Ａ・１６Ｂ    接合タブ
２０    プリント基板
２１    スロット
２２Ａ・２２Ｂ    エッジコネクタ
３１・４１    リード部
１４０    溝
１４１    第１延出部
１４２    第２延出部
１５０    支持面
【図１】
2005166376.tif 000003
【図２】
2005166376.tif 000004
【図３】
2005166376.tif 000005
【図４】
2005166376.tif 000006
【図５】
2005166376.tif 000007
【図６】
2005166376.tif 000008